(57)【特許請求の範囲】
【請求項１】
特に靴のための、少なくとも１つの引張りエレメント（６）の有効長さの解放可能な調節および変更のためのターンロックファスナ（２）であって、
少なくとも閉鎖方向において中央軸線（２．１）を周るように動作させることができるねじりグリップ（１３）を介して動作させることができる巻取り装置が設けられており、閉鎖するために、前記引張りエレメント（６）を前記巻取り装置に巻き付けることができ、開放するために、前記引張りエレメント（６）を繰り出すことができ、ベースプレート（１）が設けられており、該ベースプレート（１）上に、係止手段によって前記ターンロックファスナ（２）を取り付けることができ、該ターンロックファスナ（２）が、セルフロックまたはロックによって伸張位置に保持されている形式のものにおいて、
前記ターンロックファスナ（２）とベースプレート（１）とが、ヒンジ接続部（１．３，１．４；３．２，３．３；４．１，４．２）を介して互いにヒンジ接続されており、これにより、前記ターンロックファスナ（２）を、蓋の形式で、前記ベースプレート（１）に向かって内方旋回させることができ、これにより前記ターンロックファスナ（２）を前記ベースプレート（１）にロックすることができるかまたは、該ベースプレート（１）から離れる方向に外方旋回させることができ、これにより前記ベースプレート（１）から解放させることができ、さらに少なくとも１つの迅速解放手段が設けられており、該少なくとも１つの迅速解放手段を介して、前記巻取り装置（プーリ１０）のロックを解除することができ、前記ターンロックファスナ（２）が内方旋回させられた状態においては、前記迅速解放手段が係止位置を占めており、外方旋回させられた状態においては、前記迅速解放手段が解放方向に可動であることを特徴とする、特に靴のための、少なくとも１つの引張りエレメント（６）の有効長さの解放可能な調節および変更のためのターンロックファスナ。
【請求項２】
前記ヒンジ接続部（１．３，１．４；３．２，３．３；４．１，４．２）が、前記ターンロックファスナ（２）の縁部領域に設けられた旋回継手である、請求項１記載のターンロックファスナ。
【請求項３】
前記ターンロックファスナ（２）と前記ベースプレート（１）とに配置された前記係止手段（１．６，１．７，３．５）が、内方旋回させられた状態において前記ターンロックファスナ（２）を確実にロックするが、外方旋回させることは可能であるように構成および形成されている、請求項１または２記載のターンロックファスナ。
【請求項４】
前記ねじりグリップ（１３）と巻取り装置（プーリ１０）との間に減速ギヤが設けられている、請求項１から３までのいずれか１項記載のターンロックファスナ。
【請求項５】
前記減速ギヤが、回転式ディスク（８）を有しており、該回転式ディスク（８）を、少なくとも１つの歯（８．１）または少なくとも１つの溝を使用して駆動位置にロックすることができ、また前記迅速解放手段が、前記１つの歯または複数の歯（８．１）に割り当てられた少なくとも１つの係止溝若しくは、前記ディスク（８）の１つの溝または複数の溝に割り当てられた少なくとも１つの係止歯（７．３）を有しており、ロックされた状態において、１つの歯（８．１）が前記係止溝に嵌まるかまたは１つの係止歯（７．３）が溝に嵌まるようになっている、請求項１から４までのいずれか１項記載のターンロックファスナ。
【請求項６】
前記ギヤが、カムギヤである、請求項１から５までのいずれか１項記載のターンロックファスナ。
【請求項７】
前記ギヤが、遊星ギヤである、請求項１から５までのいずれか１項記載のターンロックファスナ。
【請求項８】
係止手段（１．６，１．７，３．５）が設けられており、該係止手段が、前記ターンロックファスナの側（３．４）、すなわち前記ヒンジ接続部（１．３，１．４；３．２，３．３；４．１，４．２）とは反対の側、および前記ベースプレート（１）の対応する側（１．５）で、内方旋回させられた状態に前記ターンロックファスナ（２）を維持するようになっている、請求項１から７までのいずれか１項記載のターンロックファスナ。
【請求項９】
前記ターンロックファスナ（２）のハウジング部（３）の側（３．４）、すなわち前記ヒンジ接続部（１．３，１．４；３．２，３．３；４．１，４．２）とは反対の側に掴みクリップ（５）が設けられている、請求項１から８までのいずれか１項記載のターンロックファスナ。
【請求項１０】
前記掴みクリップ（５）が、ヒンジ接続部（爪部５．１およびフック５．２）を介して前記ターンロックファスナ（２）またはターンロックファスナのハウジング（３）に接続されている、請求項１から９までのいずれか１項記載のターンロックファスナ。
【請求項１１】
前記迅速解放手段が、滑り部材（７）、特に帯状の金属薄板から成り、前記ターンロックファスナ（２）のロック可能なディスク（８）とハウジング部（３）との間で可動であるように配置されている、請求項１から１０までのいずれか１項記載のターンロックファスナ。
【請求項１２】
前記滑り部材（７）が、長手方向の切欠き（７．１）を有しており、該長手方向の切欠き（７．１）が、滑動方向に延びており、特に細長い孔であり、特に中央軸線（２．１）を包囲する肩部（３．１２）の通路のためであり、また前記滑り部材（７）の一方の端部（７．２）が、前記ハウジング部（３）の開口（３．１０）を通じて外側に突出することができ、前記滑り部材（７）とロック可能なディスク（８）とのそれぞれが、互いに対して割り当てられかつ特に半径方向に延びており、互いに対して動的に接続することができる歯または溝として形成された少なくとも１つの突起部（７．３）を有しており、これにより、前記滑り部材（７）を前記ロック可能なディスク（８）の位置に応じて滑動方向に移動させることができ、また前記ロック可能なディスク（８）が、前記滑り部材（７）が内側に押し付けられている時にロックされている、請求項１から１０までのいずれか１項記載のターンロックファスナ。
【請求項１３】
内方旋回させられた状態において、前記滑り部材（７）が内側に押し付けられた位置においてロックされている、請求項１１また１２記載のターンロックファスナ。
【請求項１４】
前記ベースプレート（１）に案内面（１．６．１）が設けられており、前記ターンロックファスナ（２）が内方旋回させられる時に、前記案内面（１．６．１）に対して前記押し出されている滑り部材（７）の外縁部（７．２）が接触し、これにより、該外縁部（７．２）を前記ロック可能なディスク（８）のためのロック位置へと内側に向かって押し付けることができる、請求項１３記載のターンロックファスナ。
【請求項１５】
前記開口（３．１０）を通じて外側に突出する、前記滑り部材（７）の端部（７．２）が、前記ねじりグリップ（１３）の方向に曲げられている、請求項１２から１４までのいずれか１項記載のターンロックファスナ。
【発明の詳細な説明】
【０００１】
本発明は、請求項１の上位概念部に記載したような、特に靴のためのターンロックファスナに関する。
【０００２】
１つのこのようなターンロックファスナが、ドイツ連邦共和国実用新案登録第９３１２１９７号明細書から公知である。
【０００３】
該明細書において、カムギヤが設けられたターンロックファスナが示されている。カムギヤを収容するハウジング部の外周部で、係止エレメントが旋回可能に支持されており、この係止エレメントは、ばねによって係止方向に予圧が与えられておりかつレバーとして形成されている。この係止エレメントは、予圧が与えられた係止部材により、動作位置において回転することができない爪車の外縁部に設けられた複数の切欠きの１つに嵌まり、爪車を動作位置または駆動位置にロックする。外側から動作させることができる引張りベルトを介して、その他のレバーアームをばね作用に抗して旋回させることができ、係止エレメントをそれぞれの切欠きから離れるように引っ張ることができる。このようにして、爪車は自由に回転することができ、これによりターンロックファスナのハンドルをねじる必要なしに極めて迅速にターンロックファスナを開放させることができる。ここで、ターンロックファスナはハウジング部に嵌め込まれかつ、ハウジング部にほぼ解除不能にロックされている。
【０００４】
ここで明白に参照される動作形式に関して、カムギヤがドイツ連邦共和国特許第４２４０９１６号明細書に説明されている。
【０００５】
遊星ギヤ形式のギヤと共にターンロックファスナを形成することも公知である。この場合には、定置のディスクは動作位置においてロックされており、迅速解放手段を介してファスナを迅速にロック解除することによって、定置のディスクを自由に回転させることができるようになるように構成することもできる。
【０００６】
本発明の目的は、ベースプレートに容易に嵌め込むことができ、さらに再びベースプレートから容易に取り外すことができるような最初に述べたタイプのターンロックファスナを考案することである。しかしながら、主として本発明の目的は、単純な形式において、ターンロックファスナを迅速にロック解除することができるようにすることである。
【０００７】
この目的は、請求項１の特徴部によって達成された。
【０００８】
本発明によれば、ターンロックファスナが内方旋回させられた時には、例えば滑り部材である迅速解放手段は、動作位置に固定されたねじりグリップと巻取り装置との間の駆動部材を保持する位置を占めている。外方旋回させられた時には、逆に迅速解放手段を、固定された部材のロックが解除されて、巻取り装置が駆動装置から切り離されるように移動させることができる。これにより、迅速解放部材のために、引張りエレメントの迅速な解放に関して、最初に述べたターンロックファスナに必要なばねおよび、迅速な解放のために必要な引張りベルトが排除される。さらに、不意にベースプレートから取り外されたとしても、ターンロックファスナはベースプレートに接続されたままであり、これにより、単純な旋回動作によって単純および確実な再嵌込みを行うことができる。
【０００９】
本発明のその他の有利な詳細は従属請求項に記載されており、またその他の有利な詳細を図示した実施例を使用して以下に詳細に説明する。
【００１０】
図１は、図２の区分Ｉ−Ｉに一致する側から見た本発明によるターンロックファスナのベースプレートを示している。
【００１１】
図２は、図１に示したベースプレートの上面図を示している。
【００１２】
図３は、ターンロックファスナのハウジング部が把持クリップと共に嵌め込まれたベースプレートの側面図を示している。
【００１３】
図４は、図３からのハウジング部が挿入されたベースプレートの上面図を示している。
【００１４】
図５は、ターンロックファスナのハウジング部の上面図を示している。
【００１５】
図６は、図５のハウジング部の底面図を示している。
【００１６】
図７は、図５の区分ＩＩ−ＩＩに一致する、ハウジング部の側面図を示している。
【００１７】
図８は、図７に示した区分の側面図であるが、回転ギヤがねじりグリップと共に挿入されている。
【００１８】
図９は、滑り部材として形成された迅速解放手段と、カムギヤとして形成された回転ギヤのロック可能なディスクとを有するハウジング部の上面図を示している。
【００１９】
図１０は、滑り部材の上面図を示している。
【００２０】
図１１は、図１０の区分ＩＩＩ−ＩＩＩに一致する、滑り部材の側面図を示している。
【００２１】
図１２は、カム駆動ジャーナルの底面図を示している。
【００２２】
図１３は、図１２のカム駆動ジャーナルの側面図を示している。
【００２３】
図１４は、図１２のカム駆動ジャーナルの上面図を示している。
【００２４】
図１５は、カムギヤのカム駆動ディスクが載置しているロック可能なディスクの上面図を示している。
【００２５】
図１〜図３は、特に靴を開閉するためのターンロックファスナ２のベースプレート１を示している。ベースプレート１は、ターンロックファスナ２のハウジング部３のための凹所１．１を有している。ハウジング部３は、それぞれ断面図で図７および図８に例示されている。
【００２６】
ハウジング部３は、内方旋回させることによって、ターンロックファスナ２の他の部材と共にベースプレート１に嵌め込むことができる。このために、ベースプレート１は、図面の右端部領域である端部領域１．２で１つの軸受孔１．３および１．４をそれぞれ側方に有している。
【００２７】
ハウジングの端部３．１、すなわち図面の右端部でありかつクリップ状に形成されている端部は、互いに対応する軸受孔３．２および３．３を有している。このようにして、軸４．１および４．２、ねじまたはこれらに類似のものを挿入することによってヒンジ接続部が形成され、このヒンジ接続部を介して、ターンロックファスナ２またはターンロックファスナ２のハウジング３がベースプレート１に連接されている。したがってターンロックファスナ２を、蓋の形式で、ベースプレート１に向かって内方に、またベースプレート１から離れる方向に外方旋回させることができる。ベースプレート１の切欠き１．１とハウジング部３の輪郭とは互いに合致させられている。
【００２８】
ベースプレート１の端部１．５、すなわちベースプレート１の右端部領域１．２とは反対側の端部に、係止突出部１．７を有する係止クリップ１．６が設けられており、この係止突出部１．７は、ハウジング部３の適当な係止手段、例えば図面の左端部３．４に設けられた上縁部３．５と相互作用する（図４）。このようにして、ハウジング部３およびこれによりターンロックファスナ２は、内方旋回させられた状態においてベースプレート１に取外し可能にロックされる。
【００２９】
ハウジング部３に取り付けられた掴みクリップ５を引っ張ることによって、ロック力に打ち勝つことができ、これにより、ターンロックファスナ２の他の部材と共にハウジング部３を外方旋回させることができる。ハンドルクリップ５は、ヒンジ接続部を介してハウジング部３に取り付けることができる。例えば、ヒンジ接続部は図示の爪部５．１であってよく、この爪部５．１は、ハンドルクリップ５内に成形されかつ、フック５．２によりハウジング部３に引っ掛けられている。
【００３０】
右端部領域１．２および底部１．８には、ターンロックファスナ２の引張りエレメント６の通路のための開口１．９が設けられている。
【００３１】
本発明によるターンロックファスナ２の構造と迅速解放手段の配置および動作とが、図５〜図９に詳細に示されている。ここに使用されている個々の部材は、図１０〜図１５に示した詳細な図面を使用してより良く理解するために付加的に示されている。
【００３２】
ハウジング部３は、底部３．８において中央孔３．７を備えた円形または楕円形の凹所３．６を有している。壁部３．９の左端部３．４には、外側から内側に延びた水平の長手方向のスロット３．１０が設けられている。この場合において平坦な滑り部材７として形成されかつロックおよびロック解除のために使用されている迅速解放手段は、外側からこの長手方向のスロット３．１０を通じて内側に押し込むことができる。滑り部材７を案内および保持するために、底部３．８は切欠き３．１１を有しており、この切欠き３．１１は、滑り部材７の厚さに相当する深さと、対応する滑り部材７の寸法よりも幾分大きな長さおよび幅とを有している。滑り部材７には、ここでは長手方向の孔７．１として形成された長手方向の切欠きが設けられている。ハウジング部３の底部３．８に設けられた突出部は、この細長い孔７．１に嵌まる。この場合において、この突出部は、孔３．７を同軸的に包囲している肩部３．１２である。この肩部３．１２の直径または幅は、長手方向の孔７．１の幅よりも幾分小さい。このようにして滑り部材７の滑動方向が決定され、また長手方向における滑り部材７の移動能力が、挿入後に細長い孔７．１の長さによって制限される。右端部３．１において、ハウジング部３は引張りエレメント６の通路のための切欠き３．１３によって外側に開放している。
【００３３】
有利には、滑り部材７は、図１０および図１１に示したように、外側に突出する端部で折り曲げられた縁部７．２を有している。さらに、上方に押し出された係止歯７．３が、引張りエレメント６を伸張および解放するために滑り部材７に取り付けられており、この係止歯７．３は、凹所３．６の空間内に突出しており、またこの空間において、特に減速ギヤであるギヤのロック可能なディスク８の歯８．１または溝と相互作用する。ロック可能なディスク８は、底部３．８および場合によって滑り部材７にも載置している。それは、例えば、最初にドイツ連邦共和国特許第４２４０９１６号明細書から公知であると示したカム駆動の連結ディスクに相当する。これに関して、図１５に示したように、ロック可能なディスク８は複数の連結ピン８．２を有しており、これらの複数の連結ピン８．２は、ターンロックファスナ２の中央軸線２．１に対して同心円状におよび互いに対して角度対称的に取り付けられている。実施例においては、それぞれが互いに６０°だけ角度をずらして配置された６つの連結ピン８．２が設けられている。
【００３４】
ディスク８にカムギヤディスク９が載置されており、このカムギヤディスク９は、中央の円形の切欠き９．１と円形の切欠き９．２とを有しており、円形の切欠き９．２は、同様の符号で示されておりかつ同サイズを有しており、ディスク８の連結ピン８．２に対応しており、また中央の切欠きに対して同心円状に取り付けられている。カムギヤディスク９の形状は歯形を有している。カムギヤディスク９上には、プーリ１０として形成された、引張りエレメント６のための巻取り装置が配置されている。プーリ１０の内縁部１０．１は、カムギヤディスク９の歯と相互作用する歯形を有している。カバーディスク１１が、プーリ１０を覆うように配置されている。全てのディスクは、カム駆動ジャーナル１２によってセンタリングされている。カムギヤディスク９は、カム駆動ジャーナル１２のカム駆動ディスク１２．１によって偏心的に可動であるように支持されている。カム駆動ジャーナル１２の上端部１２．２にはねじりグリップ１３が配置されている。
【００３５】
本発明は以下のように働く。
【００３６】
ターンロックファスナ２は、図８および図９に示した動作位置を占めている。したがって、ターンロックファスナ２は内方旋回させられた位置に配置されている。ベースプレート１の係止クリップ１．６は、滑り部材７をロック位置に押し込んでいる、すなわち滑り部材７は図面右側に向かって押されている。これにより、滑り部材７の係止歯７．３は、ロック可能なディスク８の隣接する歯８．１の間の溝領域内に突出しており、これにより、ロック可能なディスク８は回転させることができないかまたは、この実施例のように、約７０°〜８０°の僅かな角度範囲にしか回転させることができない。この位置において、ハウジング部３またはターンロックファスナ２はベースプレート１上でロックされており、またねじりグリップ１３は、伸張方向または解放方向に回転させることができる。したがって、靴または衣類のその他の物品を、ねじりグリップ１３を介して閉鎖または開放することができる。これは減速ギヤを介して行われるので、開放には特定の時間間隔を要する。
【００３７】
これに対して、靴、衣類の一部または付属品をすぐに開放したい場合には、掴みクリップ５を引っ張ることによって、ターンロックファスナ２はベースプレート１の凹所１．１から離れる方向に旋回させられる。このようにして、係止クリップ１．６は滑り部材７を解放する。このようにして、係止歯７．３を、ロック可能なディスク８の歯８．１の領域から押し出すことができる。これは、例えば、引張りエレメント６上で生じる張力によって行われる。なぜならば、このようにして、プーリ１０とさらにカムギヤディスク９とが解放方向に回転させられるからである。この時に、歯８．１は、係合する係止ピン７．３の歯形に衝突する。このようにして、係止歯７．３は歯８．１の動作経路外に押し出される。このようにして、滑り部材７は外側に押されて解放位置に達する。これにより、滑り部材７はカムギヤディスク９の回転動作をもはや妨げることはできない。
【００３８】
ターンロックファスナ２がベースプレート１の凹所１．１内に旋回させられた時に、滑り部材７は、滑り部材７の縁部７．２と係合する案内面１．６．１を介して係止クリップ１．６によって内側に押される。滑り部材７が２つの歯８．１の間の溝または溝領域内に移動せず、歯８．１に当たる場合には、この滑り部材は係止歯７．３がこの時に反対側にある歯８．１の側面に衝突する時にディスク８の回転方向に歯８．１をさらに移動させ、これにより滑り部材７がロック位置に移動する。したがって、カムギヤディスク９をもはや回転させることはできず、ターンロックファスナ２のギヤは動作位置に達している。
【００３９】
本発明は、その他のギヤを有する回転駆動装置において使用することもできる。例えば、慣用の遊星ギヤにおいて使用することができ、この場合には、同様に回転位置にロックされるディスクまたはギヤ部材が設けられており、これにより、ターンロックファスナを動作準備を整えるように移動させるかまたはターンロックファスナを回転位置に維持することができる。
【００４０】
滑り部材７または他の迅速解放手段に設けられた係止歯７．３の代わりに係止溝を提供することもでき、この場合には、ロック可能なディスク８に設けられた対応する歯８．１が必要とされる。
【００４１】
図示した１つの引張りエレメント６の代わりに、２つまたは３つ以上の引張りエレメントを使用することができる。
【００４２】
説明したようなロックとは別に、慣用のセルフロックによってターンロックファスナ２を伸張位置に維持することもできる。
【００４３】
本発明は、有利には靴、特に競技用およびレクリエーション用の靴のためのものであるが、同様にその他の便利な物品において同様または類似の利点と共に使用することもできる。その他の使用には、特に、ズボン、スカート、ジャケットまたはさらにグローブ、特にスポーツ用グローブ等の衣類が含まれる。
【００４４】
本発明は、例えば、ベルト若しくはあらゆるタイプのキャップまたは保護ヘルメット等の頭部保護物などの、衣類のための付属品において有利に使用することもできる。
【図面の簡単な説明】
【図１】  図１は、図２の区分Ｉ−Ｉに一致する側から見た本発明によるターンロックファスナのベースプレートを示している。
【図２】  図１に示したベースプレートの上面図を示している。
【図３】  ターンロックファスナのハウジング部が掴みクリップと共に嵌め込まれたベースプレートの側面図を示している。
【図４】  図３からのハウジング部が挿入されたベースプレートの上面図を示している。
【図５】  ターンロックファスナのハウジング部の上面図を示している。
【図６】  図５のハウジング部の底面図を示している。
【図７】  図５の区分ＩＩ−ＩＩに一致する、ハウジング部の側面図を示している。
【図８】  図７に示した区分の側面図であるが、回転ギヤがねじりグリップと共に挿入されている。
【図９】  滑り部材として形成された迅速解放手段と、カムギヤとして形成された回転ギヤのロック可能なディスクとを有するハウジング部の上面図を示している。
【図１０】  滑り部材の上面図を示している。
【図１１】  図１０の区分ＩＩＩ−ＩＩＩに一致する、滑り部材の側面図を示している。
【図１２】  カム駆動ジャーナルの底面図を示している。
【図１３】  図１２のカム駆動ジャーナルの側面図を示している。
【図１４】  図１２のカム駆動ジャーナルの上面図を示している。
【図１５】  カムギヤのカム駆動ディスクが載置しているロック可能なディスクの上面図を示している。
【符号の説明】
１  ベースプレート、  １．１  凹所、  １．２  端部領域、  １．３，１．４  軸受孔、  １．５  端部、  １．６  係止クリップ、  １．７  係止突出部、  １．８  底部、  １．９  開口、  ２  ターンロックファスナ、  ２．１  中央軸線、  ３  ハウジング部、  ３．１  端部、  ３．２，３．３  軸受孔、  ３．４  左端部、  ３．５  上縁部、  ３．６  凹所、  ３．７  中央孔、  ３．８  底部、  ３．９  壁部、  ３．１０  スロット、  ３．１１  切欠き、  ３．１２  肩部、  ３．１３  切欠き、  ４．１，４．２  軸、  ５  掴みクリップ、  ５．１  爪部、  ５．２  フック、  ６  引張りエレメント、  ７  平坦な滑り部材、  ７．１  孔、  ７．２  折り曲げられた縁部、  ７．３  係止歯、  ８  ロック可能なディスク、  ８．１  歯、  ８．２  連結ピン、  ９  カムギヤディスク、  ９．１  中央の円形の切欠き、  ９．２  円形の切欠き、  １０  プーリ、  １１  カバーディスク、  １２  カム駆動ジャーナル、  １２．１  カム駆動ディスク、  １２．２  上端部、  １３  ねじりグリップ
【図１】
0003759717.tif 000002
【図２】
0003759717.tif 000003
【図３】
0003759717.tif 000004
【図４】
0003759717.tif 000005
【図５】
0003759717.tif 000006
【図６】
0003759717.tif 000007
【図７】
0003759717.tif 000008
【図８】
0003759717.tif 000009
【図９】
0003759717.tif 000010
【図１０】
0003759717.tif 000011
【図１１】
0003759717.tif 000012
【図１２】
0003759717.tif 000013
【図１３】
0003759717.tif 000014
【図１４】
0003759717.tif 000015
【図１５】
0003759717.tif 000016